(57)【要約】【課題】重量が軽く、壁に吊り下げて展示も可能な紙製の展示具を提供する。【解決手段】厚肉の紙からなるパネル２と支持部材７とからなり、前記支持部材７は、前記パネル２と略直交するように配置する一対の側部８Ａ，８Ｂと、これら側部８Ａ，８Ｂを連続させる連続部１４と、該連続部１４と一体に設けられ前記パネル２に貼着するための貼着部１６と、前記連続部１４と一体または別体に設けられ前記側部８Ａ，８Ｂの少なくとも下側領域の縁に差し込んでこれらを位置決めする位置決め部１９とからなる構成とする。【選択図】　図１
2004049634.tif 000002
【特許請求の範囲】
【請求項１】
商品を取り付けるための厚肉の紙からなるパネルと、該パネルの背部に貼着し台上に載置するための厚肉の紙からなる支持部材とからなり、
前記支持部材は、前記パネルと略直交するように配置する一対の側部と、これら側部を連続させる連続部と、該連続部と一体に設けられ前記パネルに貼着するための貼着部と、前記連続部と一体または別体に設けられ前記側部の少なくとも下側領域の縁に差し込んでこれらを位置決めする位置決め部とからなることを特徴とする展示具。
【請求項２】
前記支持部材の側部を連続部に対して重畳するように折畳んだ状態で、該支持部材における前記貼着部と逆側の領域に薄肉の係止部材を設けるとともに、該係止部材と対向する前記パネルに係止部材と着脱可能に係止する薄肉の被係止部材を設けたことを特徴とする請求項１に記載の展示具。
【発明の詳細な説明】
【０００１】
【発明の属する技術分野】
本発明は、商品を吊り下げて販売するための展示具に関するものである。
【０００２】
【従来の技術】
従来、販売店において商品を販売する場合、壁に所定の展示パネルを取り付けるとともに、該展示パネルの所定位置に垂直に突出するアーム部材を装着し、該アーム部材に商品を吊り下げて展示している。または、展示パネルの背部に支持部材を取り付け、所定の台上に載置した状態で、前記と同様に装着したアーム部材に商品を吊り下げて展示している。
【０００３】
【発明が解決しようとする課題】
しかしながら、これらの展示器具は、樹脂や金属からなるため、コスト高であるうえ、その重量も重いという問題がある。そのため、前記した台上に載置する形式を壁に吊り下げるようにして展示する場合には、その取り付け強度の面で問題がある。さらに、樹脂や金属により形成した場合には、その展示形態が固定され、自由度に制限を受けるという問題がある。
【０００４】
そこで、本発明では、重量が軽く、壁に吊り下げて展示も可能な紙製の展示具を提供することを課題とするものである。
【０００５】
【課題を解決するための手段】
前記課題を解決するため、本発明の展示具は、商品を取り付けるための厚肉の紙からなるパネルと、該パネルの背部に貼着し台上に載置するための厚肉の紙からなる支持部材とからなり、前記支持部材は、前記パネルと略直交するように配置する一対の側部と、これら側部を連続させる連続部と、該連続部と一体に設けられ前記パネルに貼着するための貼着部と、前記連続部と一体または別体に設けられ前記側部の少なくとも下側領域の縁に差し込んでこれらを位置決めする位置決め部とからなる構成としている。
【０００６】
前記展示具は厚肉の紙からなるため、その重量は軽いが剛性は強い。そのため、吊り下げた商品の重量や外力により変形することはない。また、加工が容易な紙製であるため、希望に応じて設計することができ、展示形態の自由度を向上することができるうえ、コストダウンを図ることができる。
【０００７】
前記展示具では、前記支持部材の側部を連続部に対して重畳するように折畳んだ状態で、該支持部材における前記貼着部と逆側の領域に薄肉の係止部材を設けるとともに、該係止部材と対向する前記パネルに係止部材と着脱可能に係止する薄肉の被係止部材を設けることが好ましい。
【０００８】
このようにすれば、展示具の支持部材を折畳んだ状態では、該支持部材をパネルに対して一体化させることができる。そして、この状態で倉庫に保管したり、注文に応じて包装箱に梱包して出荷することにより、保管スペースや出荷に係るスペースの削減を図ることができる。また、販売店で展示具を壁に吊り下げて使用する場合には、前記折畳み状態で吊り下げることにより、展示具自身が軽量であるため、周知の留め具を使用しても、その取り付け強度は十分である。さらに、パネルと一体化した支持部材とがフラットな係止状態を維持するため、支持部材が不用意に展開してパネルの外周から突出し、外観を損なうことはない。
【０００９】
【発明の実施の形態】
以下、本発明の実施の形態を図面に従って説明する。
図１から図４は、本発明の第１実施形態の展示具１を示す。この展示具１は、図１（Ａ），（Ｂ）に示すように、大略、商品を取り付けるためのパネル２と、該パネル２を台上に載置するための支持部材７とからなり、これらを複数のカード紙を重畳した合紙によりそれぞれ形成し、所定位置で貼着して一体化したものである。
【００１０】
前記パネル２は、図２（Ａ）に示すように、長方形状をなし、その上部には２つの引掛孔３が設けられている。また、このパネル２には、その中央を境界とした上側領域と下側領域に、それぞれ吊り下げ用のアーム部材（図示せず）を装着するための装着孔４が水平に位置するように３個づつ設けられている。また、このパネル２の上側領域には、後述する支持部材７の貼着部１６の貼着位置を示す第１位置決め線５が肉厚を圧縮するようにして設けられている。また、パネル２の下側領域には、幅方向にかけて屈曲させるための折曲線６が設けられている。この折曲線６は、その合紙の肉厚の略半分を切断した半切り構造により構成され、非切断部分によりヒンジ構造をなすものである。
【００１１】
前記支持部材７は、大略、前記パネル２と略直交するように配置する一対の側部８Ａ，８Ｂと、これら側部８Ａ，８Ｂを連続させる連続部１４と、該連続部１４の上端に連続するように一体に設けられた貼着部１６と、前記連続部１４の下端に連続するように一体に設けられた位置決め部１９とからなる。
【００１２】
前記側部８Ａ，８Ｂは、その外側縁が前記パネル２の背面に接触するように配置されるもので、前記パネル２の折曲線６と対応する位置で屈曲する形状とされている。この側部８Ａ，８Ｂの側縁において、その上側縁９は、前記パネル２における折曲線６より上側の領域を鉛直に近い角度で立ち上げるように構成する。また、下側縁１０は、前記パネル２における折曲線６より下側の領域を前向きに鈍角に突出するように構成する。即ち、これらの側縁９，１０を変更することにより、パネル２の傾斜角度を希望に応じて変更できるように構成している。また、前記側部８Ａ，８Ｂの下縁略中央には、後述する位置決め部１９を差し込んで係止するための係止溝１１が設けられている。さらに、前記下側縁１０には、パネル２を載置するための載置部１２が設けられている。この載置部１２の基部には折曲線６と同様の折曲線１３が設けられている。
【００１３】
前記連続部１４は、前記側部８Ａ，８Ｂの上下端にかけて延びる長方形状のもので、これら側部８Ａ，８Ｂとの境界部分には前記折曲線６と同様の折曲線１５が設けられている。
【００１４】
前記貼着部１６は、支持部材７をパネル２の上側領域に一体的に貼着するもので、前記連続部１４との境界部分には前記と同様の折曲線１７が設けられている。また、この貼着部１６の上端中央には、前記パネル２の第１位置決め線５と対応させる第２位置決め線１８が設けられている。本実施形態では、この貼着部１６は、前記連続部１４がパネル２に対して上向きに延びるように貼着し、該連続部１４を折曲線１７で折り返して下向きに延びるように構成される。
【００１５】
前記位置決め部１９は、前記側部８Ａ，８Ｂの下側領域である下端縁に差し込んでこれらの間隔を位置決め保持するもので、前記連続部１４の下端からパネル２の方向に折り曲げる底面部２０と、前記側部８Ａ，８Ｂの係止溝１１に下側から差し込んで噛み合わせるようにして係止する被係止溝２１ａを備えた差込部２１とからなる。前記連続部１４と底面部２０との境界部分、および、底面部２０と差込部２１との境界部分には折曲線２２が設けられている。
【００１６】
また、本実施形態では、図３（Ｂ）に示すように、前記支持部材７の側部８Ａ，８Ｂを連続部１４に対して重畳するように折畳んだ状態で、該支持部材７における前記貼着部１６と逆の下側領域である前記位置決め部１９の差込部２１に薄肉の係止部材２３Ａが貼着されている。また、前記係止部材２３Ａと対向する前記パネル２に背面には、係止部材２３Ａと着脱可能に係止する薄肉の被係止部材２４が設けられている。これら係止部材２３Ａおよび被係止部材２４は、布や樹脂シートの一面に線状の係止片を設けたタッチ・クローズ型の面ファスナーが適用されている。さらに、本実施形態では、前記側部８Ａ，８Ｂの載置部１２に、同様の係止部材２３Ｂが貼着されている。
【００１７】
前記構成の展示具１は、前述のように、支持部材７の側部８Ａ，８Ｂを互いに連続部１４上に折畳み、更に前記位置決め部１９をその上に重畳するように折畳む。この状態で支持部材７がパネル２に重畳するように配置し、前記係止部材２３Ａと被係止部材２４とを係止させることにより、図３（Ａ）に示すように、支持部材７を折畳んだ状態でパネル２に対して一体化させることができる。
【００１８】
この状態で、展示具１は、所定の倉庫に保管され、また、注文に応じて所定の包装箱に梱包され、所定の販売店に出荷される。そのため、保管スペースや出荷に係るスペースの削減を図ることができる。
【００１９】
また、販売店では、展示具１を壁に吊り下げて使用する場合には、壁の所定位置に周知の留め具を取り付け、パネル２に設けた引掛孔３を利用して吊り下げる。また、従来と同様に、パネル２の装着孔４にアーム部材を装着し、このアーム部材に希望の商品を吊り下げて展示する。
【００２０】
この際、本実施形態の展示具１は、重量が軽い紙製であるため、重量が軽く、例えばネジ部を備えたフック式の留め具を使用しても、その取り付け強度は十分であり、重量に係る問題が生じることはない。また、展示具１は、図３（Ａ）の状態では、係止部材２３Ａと被係止部材２４との係止により、パネル２と一体化した支持部材７とがフラットな状態を維持するため、支持部材７が不用意に展開してパネル２の外周から突出し、外観を損なうことはない。
【００２１】
一方、販売店において、展示具１を所定の台上に載置して使用する場合には、図３（Ａ）に示す状態から、係止部材２３Ａと被係止部材２４との係止を解除し、図３（Ｂ）に示すように、パネル２から支持部材７を離間させる。
【００２２】
ついで、図４（Ａ）に示すように、支持部材７の連続部１４に対して位置決め部１９および側部８Ａ，８Ｂを展開させ、側部８Ａ，８Ｂがパネル２に対して直交方向に延びるように配置する。その後、図４（Ｂ）に示すように、連続部１４に対して位置決め部１９の底面部２０を折り曲げるとともに、該底面部２０に対して差込部２１を折り曲げ、該差込部２１の被係止溝２１ａを側部８Ａ，８Ｂの係止溝１１に噛み合わせるように差し込んで係止する。
【００２３】
これにより、側部８Ａ，８Ｂの間隔が位置決めされ、支持部材７が平面視コ字形状に維持される。また、連続部１４は、その上端から下側に向けて前記パネル２から離間し、略逆Ｖ字形状をなす。
【００２４】
最後に、側部８Ａ，８Ｂに設けた載置部１２をそれぞれ内向きに折り曲げ、パネル２を側部８Ａ，８Ｂの側縁９，１０に密着させることにより、載置部１２の係止部材２３Ｂにパネル２の被係止部材２４を係止する。この際、本実施形態では、側部８Ａ，８Ｂに設ける係止溝１１を、その下縁の略中央に設けているため、差込部２１とパネル２との間には所定の隙間が形成されている。そのため、前記係止部材２３Ｂと被係止部材２４とが確実に係止できない場合には、その隙間に作業者が手を差し込むことにより、載置部１２とパネル２とを挟み込むようにして確実に係止することができる。
【００２５】
このようにして組み立てた展示具１は、図１（Ａ），（Ｂ）に示すように、合紙により形成されているため、その重量は軽いが剛性は強い。そのため、吊り下げた商品の重量や外力により変形することはない。また、加工が容易な紙製であるため、図３（Ａ）に示すフラットな展示形態から図１（Ａ）に示す一部を前向きに突出するような展示形態まで、希望に応じて設計することができる。即ち、展示形態の自由度を向上することができる。
【００２６】
図５および図６は第２実施形態の展示具を示す。この展示具は、支持部材３０の構成を変更した点でのみ第１実施形態と相違している。具体的には、第２実施形態の支持部材３０は、図６（Ａ），（Ｂ）に示すように、支持部材本体３１と、第１位置決め部を構成する別体の位置決め部材４１とからなる。
【００２７】
前記支持部材本体３１は、図６（Ａ）に示すように、前記パネル２から略直交状態で突出するように配置する側部３２Ａ，３２Ｂと、これらの上側領域を連続させる連続部３５とを備えている。また、本実施形態では、第１位置決め部とは別に、支持部材本体３１の上側領域において、側部３２Ａ，３２Ｂの縁に差し込んでこれらの間隔を位置決めする第２位置決め部３７が設けられている。
【００２８】
前記側部３２Ａ，３２Ｂの内側縁は、前記パネル２の背面に接触するように配置されるもので、第１実施形態と同様にパネル２の折曲線６と対応する位置で屈曲する形状とされている。また、この側部３２Ａ，３２Ｂは、連続部３５を両側に展開する状態で折畳むもので、その外側縁は、パネル２の両側から突出しない形状とされている。また、側部３２Ａ，３２Ｂの下側領域における内側縁には、後述する位置決め部材４１を差し込んで係止するための係止溝３３が設けられている。また、第２位置決め部３７の形成部分を除き、連続部３５との境界部分には第１実施形態と同様の折曲線３４が設けられている。
【００２９】
前記連続部３５の上端中央には、パネル２の第１位置決め線５と対応させる第２位置決め切欠部３６が設けられている。そして、本実施形態では、この連続部３５は、該支持部材本体３１を前記パネル２に貼着するための貼着部の役割を兼用する構成としている。
【００３０】
前記第２位置決め部３７は、舌片状の切り起こし構造により構成されており、側部３２Ａ，３２Ｂの縁を構成する下端両側に位置決め用の第１切欠部３８が設けられるとともに、上端縁に第１切欠部３８に対応する第２切欠部３９が設けられている。また、この第２位置決め部３７の下部には折曲線４０が設けられている。
【００３１】
第１位置決め部を構成する前記位置決め部材４１は、パネル２に対して前記連続部３５の下端にから側部３２Ａ，３２Ｂの下側領域に延びるように貼着されるものである。具体的には、この位置決め部材４１はボール紙（単紙）からなり、図６（Ｂ）に示すように、上側から貼着部４２と、側部３２Ａ，３２Ｂの内側縁に沿って延びる離間部４３と、側部３２Ａ，３２Ｂの係止溝３３に内側から差し込んで噛み合わせるようにして係止する被係止溝４４ａを備えた差込部４４とからなる。そして、これら貼着部４２、離間部４３および差込部４４の境界部分にはそれぞれ折曲線４５が設けられている。
【００３２】
この第２実施形態の支持部材３０を用いた展示具は、倉庫に保管する際や包装箱に梱包する際には、前述のように支持部材本体３１はパネル２に対して展開状態とする。そして、この状態では、折り曲げた部分がないフラットな状態をなすため、第１実施形態に示す係止部材２３Ａ，２３Ｂや被係止部材２４は設けていない。
【００３３】
販売店において、この展示具を壁に吊り下げて使用する場合には、パネル２の引掛孔を利用して吊り下げることにより、第１実施形態と同様の作用、効果を得ることができる。
【００３４】
また、台上に載置して使用する場合には、図５（Ｂ）に示すように、支持部材本体３１の連続部３５に対して側部３２Ａ，３２Ｂが直交方向に延びるように折り曲げる。そして、第２位置決め部３７を構成する位置決め部材４１の離間部４３を折り曲げるとともに、差込部４４を折り曲げ、該差込部４４の被係止溝４４ａを側部３２Ａ，３２Ｂの係止溝３３に噛み合わせるように差し込んで係止する。さらに、図５（Ａ）に示すように、第１位置決め部である位置決め部材４１を折り曲げ、その第２切欠部３９を側部３２Ａ，３２Ｂの縁に位置する第１切欠部３８に係止する。
【００３５】
これにより、第１実施形態と同様に、側部３２Ａ，３２Ｂの間隔が位置決めされ、支持部材３０が平面視コ字形状に維持され、第１実施形態と同様の作用、効果を得ることができる。
【００３６】
なお、本発明の展示具１は前記実施形態の構成に限定されるものではない。
例えば、前記各実施形態では、支持部材７をパネル２の上側領域に貼着したが、下側領域に貼着してもよい。即ち、パネル２に対する支持部材貼着位置は希望に応じて変更が可能である。
【００３７】
また、前記実施形態では、パネル２に幅方向に延びる１つの折曲線６を設け、台上に載置して使用する場合に該パネル２を屈曲した展示形態をなすようにしたが、折曲線６は必ずしも設ける必要はない。逆に、２以上の折曲線６を設け、更に複雑に屈曲する展示形態としてもよい。
【００３８】
さらに、第２実施形態では、位置決め部材４１による第１位置決め部と、支持部材本体３１に一体に設けた第２位置決め部３７との２つの位置決め部１９を設けたが、第２位置決め部３７は必ずしも設ける必要はない。また、位置決め部材４１は、連続部１４の下端に連続するように一体に設けてもよい。即ち、位置決め部１９は、前記側部８Ａ，８Ｂの少なくとも下側領域の縁に差し込んでこれらを位置決めできるように設ければよい。
【００３９】
【発明の効果】
以上の説明から明らかなように、本発明の展示具では、厚肉の紙からなるパネルと支持部材とを貼着して構成しているため、その重量は軽いが剛性は強い。そのため、吊り下げた商品の重量や外力により変形することはない。また、加工が容易な紙製であるため、希望に応じて設計することができ、展示形態の自由度を向上することができるうえ、コストダウンを図ることができる。
【００４０】
また、支持部材の側部を連続部に対して重畳するように折畳んだ状態で、該支持部材とパネルとを着脱可能に係止する係止部材および被係止部材を設けているため、この状態で倉庫に保管したり、注文に応じて包装箱に梱包して販売店に出荷することにより、保管スペースや出荷に係るスペースの削減を図ることができる。
【００４１】
さらに、販売店で展示具を壁に吊り下げて使用する場合には、前記折畳み状態で吊り下げることにより、展示具自身が軽量であるため、周知の留め具を使用しても、その取り付け強度は十分である。さらにまた、パネルと一体化した支持部材とがフラットな係止状態を維持するため、支持部材が不用意に展開してパネルの外周から突出し、外観を損なうことはない。
【図面の簡単な説明】
【図１】本発明の第１実施形態の展示具を示し、（Ａ）は前方斜視図、（Ｂ）は後方斜視図である。
【図２】展示具の構成部品を示し、（Ａ）はパネルの背面図、（Ｂ）は支持部材の背面図である。
【図３】（Ａ）はフラットな状態に折畳んだ状態を示す斜視図、（Ｂ）は第１組立工程を示す斜視図である。
【図４】（Ａ）は第２組立工程を示す斜視図、（Ｂ）は第３組立工程を示す斜視図である。
【図５】第２実施形態の展示具を示し、（Ａ）は後方斜視図、（Ｂ）は組立作業の一工程を示す斜視図である。
【図６】第２実施形態の支持部材を示し、（Ａ）は支持部材本体の背面図、（Ｂ）は位置決め部材の背面図である。
【符号の説明】
１…展示具、２…パネル、３…引掛孔、７，３０…支持部材、８Ａ，８Ｂ，３２Ａ，３２Ｂ…側部、１１，３３…係止溝、１４，３５…連続部、１６…貼着部、１９，４１…位置決め部、２１，４４…差込部、２１ａ，４４ａ…被係止溝、２３Ａ，２３Ｂ…係止部材、２４…被係止部材。
【図１】
2004049634.tif 000003
【図２】
2004049634.tif 000004
【図３】
2004049634.tif 000005
【図４】
2004049634.tif 000006
【図５】
2004049634.tif 000007
【図６】
2004049634.tif 000008